(57)【要約】【課題】  この発明は、背ボトムの起伏に拘わらず、看者の腹部が圧迫されず、かつ患者の腰位置が脚方向へ移動することのない介護用ベッドを得ることを課題とするものである。【解決手段】  基台に背ボトム及び脚ボトムを起伏自在に取り付けた介護用ベッドにおいて、前記背ボトム２と脚ボトム３とを共通の軸に取り付け、前記背ボトム２と脚ボトム３とをリンク機構８で連結し、前記リンク機構８に駆動装置の伸縮ロッド１０を連結し、前記伸縮ロッドの伸縮に伴い前記背ボトムの立ち上がり途中まで脚ボトムも次第に立ち上がり、次いで背ボトムは立ち上がり方向に回動し脚ボトムは水平方向へ回動するように構成する。【選択図】  図５
2006026189.tif 000002
【特許請求の範囲】
【請求項１】
基台に背ボトム及び脚ボトムを起伏自在に取り付けた介護用ベッドにおいて、
前記背ボトムと脚ボトムとは共通の取付軸に取り付けられ、
前記背ボトムと脚ボトムとがリンク機構で連結され、
前記リンク機構に駆動装置の伸縮ロッドが連結され、
前記伸縮ロッドの伸縮に伴い前記背ボトムの立ち上がり途中まで脚ボトムも次第に立ち上がり、次いで背ボトムは立ち上がり方向に回動し脚ボトムは水平方向へ回動するようにした、
介護用ベッド
【請求項２】
リンク機構は、
背ボトムの延長となる第一の連結杆と、
第一の連結杆の先端に回動自在に取り付けられた第二の連結杆と、
第二の連結杆の先端に回動自在に取り付けられ、先端が腰ボトムに回動自在に取り付けられた第三の連結杆と、
一端が前記第二の連結杆と第三の連結杆との連結軸に取り付けられ、他端がベッドの基台に回動自在に取り付けられた支持杆と、
一端が前記背ボトムに固定され、他端が伸縮ロッドに回動自在に取り付けられた作動杆とで構成された、
請求項１記載の介護用ベッド
【請求項３】
背ボトムの下部に開放部を形成した、請求項１ないし３の何れかに記載の介護用ベッド
【請求項４】
基台に、背ボトムの開放部に対応する受け部材を配設した、請求項４記載の介護用ベッド
【発明の詳細な説明】
【技術分野】
【０００１】
この発明は介護用ベッドに関するものである。
【背景技術】
【０００２】
介護用ベッドは、患者が上半身を起き上がらせた状態を支持するため、背ボトムが起伏自在となっている。
一般に介護用ベッドのボトムは、背ボトム、腰ボトム、脚ボトムで構成されているが、背ボトムと腰ボトムが連結されていると、背ボトムが立ち上がるにつれて背ボトムと腰ボトムとの間の空間が狭まり、看者の腹部が圧迫される。
そこで、従来は、患者の上半身を起き上がらせた状態まで背ボトムを立ちあがらせるためには、介護者が患者の腰の位置を背ボトム側へ移動させて、腹部の圧迫を和らげることが必要とされている。
【０００３】
上記問題点を解決するものとして、腰ボトムと背ボトムとの連結部をすのこ状に構成して該部の長さが変化するようにしたものが提案されている。
しかし、この構造においても腹部の圧迫は和らげられるものの、腰位置の足方向への移動は避けられず、介護者による患者の移動が不可欠であった。
【０００４】
看者の腰の位置を強制的に背ボトム側へ移動させるためには、背ボトムを立ち上がらせる際に腰ボトムも立ち上げることが考えられる。そして、従来も腰ボトムを立ち上がらせた後に背ボトムを立ち上がらせる手法も採用されている。
しかしながら、背ボトムの立ち上がりに連動させて腰ボトムを徐々に立ち上がらせるようにした構成の介護用ベッドは提案されていない。
【特許文献１】特開平１１−９９１８２号
【０００５】
腰ボトムを立ち上がらせるようにしたものは、例えば特開平１１−９９１８２号のように、腰ボトムを手動で持ち上げてステイで支持する構造であって、背ボトムの回動と腰ボトムの回動とを連動させるものではない。
【発明の開示】
【発明が解決しようとする課題】
【０００６】
この発明は、背ボトムの起伏に拘わらず、看者の腹部が圧迫されず、かつ患者の腰位置が脚方向へ移動することのない介護用ベッドを得ること、そのために背ボトムの回動（起伏）と脚ボトムの回動（起伏）を連動させることを課題とするものである。
【課題を解決するための手段】
【０００７】
この発明の介護用ベッドは、基台に背ボトム及び脚ボトムを起伏自在に取り付けた介護用ベッドにおいて、前記背ボトムと脚ボトムとを共通の取付軸に取り付け、前記背ボトムと脚ボトムとをリンク機構で連結し、前記リンク機構に駆動装置の伸縮ロッドを連結させ、前記伸縮ロッドの伸縮に伴い前記背ボトムと脚ボトムとが前記取付軸を中心に回動するようにして構成する。このとき、前記背ボトムの立ち上がり途中まで脚ボトムも次第に立ち上がり、次いで背ボトムは立ち上がり方向に回動し脚ボトムは水平方向へ回動するように、前記リンク機構を構成する。
前記リンク機構としては、請求項２に記載の構成が考えられる。
請求項２のリンク機構は、背ボトムの延長となる第一の連結杆の先端に第二の連結杆を回動自在に取り付け、第二の連結杆の先端に第三の連結杆を回動自在に取り付け、その先端を腰ボトムに回動自在に取り付ける。前記第二の連結杆と第三の連結杆との連結軸に支持杆を回動自在に取り付け、その他端をベッドの基台に回動自在に取り付ける。また前記背ボトムに作動杆の一端を固定し、その他端を伸縮ロッドに回動自在に取り付けて構成する。
請求項３の発明は、背ボトムの下部に開放部を形成したものであって、腹部の圧迫を一層回避できるものであり、請求項４の発明は、基台に、背ボトムの開放部に対応する受け部材を配設したものである。
【発明の効果】
【０００８】
この発明は、背ボトムを立ち上がらせる際の腹部圧迫の原因は、第１にマットレスとの剪断力による脊柱の屈曲、すなわち次第に大きくなるマットレスの傾斜に患者の背中が追随できないことによる脊柱の屈曲、第２に脊柱を受ける骨盤の角度にあり、これらを適正に保つことにより腹部の圧迫が改善されるという知見に基づくものである。
すなわち、従来の介護用ベッドは背ボトムを立ち上がらせる際に、骨盤は水平に保持された腰ボトム上に位置するようになっている。そのために背ボトムを立ち上がらせると、脊柱は背ボトムと共に傾斜を強めるにも関わらず骨盤の角度は変化しない。
脊柱と骨盤とは直線をなす関係（人が水平な床に横たわった状態）にあることが好ましところ、従来のベッドにおいては脊柱のみが傾斜するので、背ボトムの傾斜が大きくなるにしたがい脊柱と骨盤とが角度をなした状態となり、腹圧が大きくなる。
この発明は、上記構成により係る問題を解消する。
【０００９】
この発明によれば、背ボトムと脚ボトムがリンク機構で連結されているので、リンク機構の作用により、背ボトムと脚ボトムとが同時に、かつ反対方向に回動する。したがって、背ボトムを立ち上がらせると同時に脚ボトムも立ち上がるので、腰は自然に両ボトムの谷に位置することとなる。
その結果、骨盤は前傾し、脊柱と正常な関係が維持され、マットレスの圧縮や剪断力の発生が低下することとなり、背ボトムが腹部を圧迫することがない。
請求項３，４の発明においては、背ボトムに開放部を設けているので、背ボトムを水平位置から次第に傾斜させて立ち上がらせると、患者の骨盤はマットレスと一体となって開放部から落ち込む。その結果、脊柱と骨盤との関係は一層良好に保持され、腹部の圧迫は可及的に小さくなる。
請求項４の発明においては、背ボトムの開放部に対応して受け部材を配設したので、背ボトムを水平にしたときに開放部のマットレスは受け部材で支持され、水平状態で使用するときにおけるマットレスの状態が不安定になることがない。
【発明を実施するための最良の形態】
【００１０】
以下この発明の実施例を説明する。
【実施例１】
【００１１】
図１において、基台１に、背ボトム２と脚の大腿部を支持する第一の脚ボトム３が共通の取付軸４に起伏自在に取り付けてあり、第一の脚ボトム３に脛部を支持する第二の脚ボトム５が回動自在に取り付けてある。
前記前記背ボトム２の下部（取付軸４側）には開放部６が設けてあり、前記基台１にはこの開放部６に対応する平面長方形の受け部材７が配設してある（図６ないし８参照）。
【００１２】
前記開放部６は背ボトム２を立ち上がらせたときに患者の腰部が落とし込まれるものである。したがって、その縦方向の寸法は２２〜２８センチ程度が適当であり、幅方向は背ボトムの全幅にわたるものが好ましい。
前記受け部材７は、背ボトムを水平にして使用する際にマットレスの落ち込みを防止し、マットレス表面を水平に保持するためのものである。したがって、背ボトム２が水平状態にあるとき、その開放部６にはまりこみ、背ボトム２の上面と受け部材７の上面とが同じ高さに位置することが好ましい。
【００１３】
前記背ボトム２と第一の脚ボトム３とは以下のリンク機構８で連結されている。
このリンク機構８は、第一ないし第三の連結杆１１，１２，１３と、支持杆１４，作動杆１５で構成してある（図５参照）。
前記第一の連結杆１１は、その基端が前記背ボトム２に固着してあり、ほぼ背ボトム２の延長線に沿って延びている。この第一の連結杆１１の先端には第二の連結杆１２の基端がピンを介して回動可能に取り付けてあり、第二の連結杆１２の先端には第三の連結杆１３の基端がピンを介して回動可能に取り付けてあり、その先端は前記第一の脚ボトム３にピンを介して回動可能に取り付けてある。
また、前記第二の連結杆１２と第三の連結杆１３との連結ピンには、支持杆１４の一端が回動自在に取り付けてあり、その他端は基台１にピンを介して回動自在に取り付けてある。
更に、前記作動杆１５は、その一端が前記背ボトム２に固着してあり、他端には駆動装置（モーター又はプランジャー）９の伸縮ロッド１０がピンを介して回動自在に取り付けてある。
なお、この実施例においては前記第一の連結杆１１と作動杆１５とは補助杆１６を含んだ三角形を構成している。また、前記駆動装置９は基台１の背ボトム２の下方に回動自在に取り付けてある。
前記リンク機構８を構成する各連結杆、支持杆、作動杆の具体的な長さ、取り付け位置、取り付け角度は、以下の作動が得られるように設定する。
【００１４】
上記構成により以下のように作動する。
伸縮ロッド１０が延びきったとき（図１）、背ボトム２と第一の脚ボトム３とは共に水平となり、看者の離床・着床姿勢に対応する。
上記状態から徐々に伸縮ロッドを縮めると（図２）、作動杆１５はロッド１０に引き寄せられて回動し、背ボトム２は徐々に立ち上がる。同時に、第一の連結杆１１も下向きに回動するので、第一の連結杆１１，第二の連結杆１２，第三の連結杆１３，脚ボトム３で構成されたパンタグラフ部分の作動により、第三の連結杆１３は上向きに回動し、その結果第一の脚ボトム３は上向きに回動し、徐々に立ち上がる。
看者のリラックス姿勢に対応する（図６）。
【００１５】
伸縮ロッド１０を更に縮めると、第三の連結杆１３と支持杆１４とは直線をなす。このときが第一の腰ボトムの上死点となる（図３）。このとき看者の腰の大転子は背ボトム２と脚ボトム３の谷間に落ち込んでベッドの回転軸に合わさる。また、マットレス２１と共に背ボトム２の開放部６から落とし込まれる。このとき、骨盤２１は背ボトム２の傾斜に追随して傾斜する（図７）。
更に伸縮ロッド１０を縮めると、背ボトム２は従前と同じく上向きに回動を継続する。他方、第二の連結杆１２と第三の連結杆１３の取付軸は背ボトム側へ引き寄せられるので、第３の連結杆１３の先端は下向きに回動し、その結果第一の脚ボトム３は下向きに回動する。そして、伸縮ロッド１０が縮みきったとき、背ボトム２は立ち上がり位置に至り、逆に第一の脚ボトム３は水平となる（図４）。
このとき、骨盤２１と脊柱２２との角度は水平時と殆ど変わらず、脊柱２２の屈曲も殆ど生じることがない（図８）。
したがって、患者が自力で移動できなくとも背ボトムの縦位置への移動時に腹部が圧迫されることがない。
【００１６】
上記作動において、第二の脚ボトムの角度は支持バーによって適宜保持することができる。なお、脚ボトムは第一と第二とに分割しなくともよい。
また、上記実施例においては駆動装置９を背ボトムの下方に取り付けたので、伸縮ロッド１０が伸びきった状態の時に背ボトムが水平となるように構成してあるが、駆動装置９を脚ボトムの下方に取り付け、伸縮ロッド１０が縮みきった状態の時に背ボトムが水平に位置するように構成することもできる。その場合は、伸縮ロッド１０が延びるに従い背ボトムが立ち上がることとなる。
【産業上の利用可能性】
【００１７】
この発明によれば、背ボトムを起伏自在に取り付けた介護用ベッドにおいて、背ボトムと脚ボトムとをリンク機構で連結し、同時に起伏するようにしたことにより、背ボトム立ち上がり時における看者の腰の位置を固定し、脊柱と骨盤との相対角度は最も自然な角度（患者に圧迫を与えない角度）に維持される。
そして、脊柱と骨盤との相対角度が好ましい角度に維持されることにより、脊柱の屈曲も阻止される。
したがって、背ボトムによって患者の腹部が押されることがないので、背ボトムを立ち上がらせることにより無理なく患者の上半身を起こすことができる。
【図面の簡単な説明】
【００１８】
【図１】この発明実施例の伸縮ロッドが伸びきった状態の正面図。
【図２】同じく伸縮ロッドをやや縮めた状態の正面図。
【図３】同じく第三の連結杆と支持杆とが直線をなした状態の正面図。
【図４】同じく伸縮ロッドが縮みきった状態の正面図。
【図５】同じくリンク機構を示す正面図。
【図６】同じく図２の状態における脊柱と骨盤の関係を示す図
【図７】同じく図３の状態における脊柱と骨盤の関係を示す図
【図８】同じく図４の状態における脊柱と骨盤の関係を示す図
【符号の説明】
【００１９】
１    基台
２    背ボトム
３    第１の脚ボトム
４    取付軸
５    第２の脚ボトム
６    開放部
７    受け部材
８    リンク機構
９    駆動装置
１０  伸縮ロッド
１１  第一の連結杆
１２  第二の連結杆
１３  第三の連結杆
１４  支持杆
１５  作動杆
２１  骨盤
２２  脊柱
【図１】
2006026189.tif 000003
【図２】
2006026189.tif 000004
【図３】
2006026189.tif 000005
【図４】
2006026189.tif 000006
【図５】
2006026189.tif 000007
【図６】
2006026189.tif 000008
【図７】
2006026189.tif 000009
【図８】
2006026189.tif 000010